(57)【特許請求の範囲】
【請求項１】
下側型と前記下側型と共にキャビティを形成する上側型とから成る金型と、下端がノズルになっており、スティック状成形材料が一列に上側から順次供給される縦型射出筒と、前記射出筒の内部に上方から下方に向かって温度が上がる温度勾配を発生させる加熱手段と、前記射出筒内でスティック状成形材料を下方に向かって成形品１個分押し込む押込シャフトを有する押し込み手段とを備え、
前記加熱手段は前記射出筒内に供給されたスティック状成形材料を固化から完全溶解に連続的に変える温度勾配を発生させるものであり、
前記押込シャフトにより最上段のスティック状成形材料が押し込まれると、中段のスティック状成形材料の半溶解による密栓効果を利用しながら、最下段の完全溶解した成形材料が前記キャビティに射出されると共に、前記ノズルからのノズルタッチを介して前記射出筒から前記金型に熱が伝達されることを特徴とする射出成形装置。
【請求項２】
請求項１に記載した射出成形装置において、
押込シャフトはセンタリング機構を備えることを特徴とする射出成形装置。
【請求項３】
請求項２に記載した射出成形装置において、
押込シャフトは上側シャフトと下側シャフトとからなり、前記下側シャフトは、前記上側シャフトに対してその下側円筒部に下側から基端部が入り込んで水平方向及び上下方向に相対移動自在に支持されると共に、前記上側シャフトの下端側で径方向に弾接されて嵌合状態が保持されていることを特徴とする射出成形装置。
【請求項４】
請求項１から３のいずれかに記載した射出成形装置において、
ガイドロッドの左右両側に設けられた一対の車輪と、下側型の取付盤に固定され、前記ガイドロッドの背面側に当接した背当てプレートと、左右平行に設けられた一対の傾斜路とその間に設けられた凹部とからなるガイド路を有し、前記ガイドロッドの上昇によりエジェクタピンが上昇するエジェクタ機構を備えており、前記ガイドロッドが前記背当てプレートにより背面側から押されると、前記車輪が前記傾斜路を転動しながら登っていくことで前記ガイドロッドが前記背当てプレートに対して上昇し、一方前記背当てプレート自身は前記凹部に入り込んでいくことを特徴とする射出成形装置。
【請求項５】
請求項１から４のいずれかに記載した射出成形装置において、
押込シャフトは押込レバーの手動操作により下降することを特徴とする射出成形装置。
【請求項６】
請求項５に記載した射出成形装置において、
湯溜まりが上側型のゲートの下方に設けられており、前記湯溜まりには上方に向かって付勢されたピストンが収納されていることを特徴とする射出成形装置。
【請求項７】
請求項１から６のいずれかに記載した射出成形装置において、
射出筒と金型はそれぞれ熱伝導性の異なる複数の材料で構成されており、ヒーターからの熱によりそれぞれ加熱され、押込シャフトの押し込みにより最下段にきたスティック状成形材料の完全溶解にかかる時間とキャビティに射出された成形材料の固化時間が略同じになるように調整されていることを特徴とする射出成形装置。
【請求項８】
請求項１から７のいずれかに記載した射出成形装置の射出筒に供給するスティック状成形材料であって、ほぼ円柱状をしており、その外周面には軸線方向に延びる多数の凹溝が形成されていることを特徴とするスティック状成形材料。
【請求項９】
請求項８に記載したスティック状成形材料において、成形品１個分の体積になっていることを特徴とするスティック状成形材料。
【発明の詳細な説明】
【技術分野】
【０００１】
本発明は、小型化且つ簡略化された射出成形装置に関するものである。
【背景技術】
【０００２】
従来の射出成形装置では、特許文献１に記載されているように、合成樹脂の成形材料がペレット等の状態でホッパーから投入され、加熱筒で可塑化され溶融した後に、スクリューによって搬送され、金型のキャビティへ射出されて成形される。そして、成形品が固化した後、型開きされてエジェクタピンによってその成形品が外に押し出されるようになっている。
【０００３】
このような射出成形装置においては、加熱筒と金型は別体であり、それぞれに対して最適の性能を奏するように独立して構造や成形条件の制御面からの工夫が凝らされており、装置全体が大型化すると共に成形条件の制御も複雑になっていた。
【先行技術文献】
【特許文献】
【０００４】
【特許文献１】特開２００８−３０２６３４号公報
【発明の概要】
【発明が解決しようとする課題】
【０００５】
最近では成形品の搬送に掛かる手間やコストが問題となっており、各エンドユーザーの元で必要な数の成形品を必要な時に応じて製造できるようにすることで搬送そのものを無くすことも提案されている。しかしながら、従来の射出成形装置は上記のように大型であった等から、この提案に対応することは難しい。
本発明は上記従来の問題点に着目して為されたものであり、小型化されると共に簡単な制御で所望の精度の成形品を製造でき、将来的にはエンドユーザーの元への設置も可能とする射出成形装置を提供することを目的とする。
また、本発明は、上記した射出成形装置に適したスティック状成形材料を提案することを目的とする。
【課題を解決するための手段】
【０００６】
本発明は上記課題を解決するためになされたものであり、請求項１の発明は、下側型と前記下側型と共にキャビティを形成する上側型とから成る金型と、下端がノズルになっており、スティック状成形材料が一列に上側から順次供給される縦型射出筒と、前記射出筒の内部に上方から下方に向かって温度が上がる温度勾配を発生させる加熱手段と、前記射出筒内でスティック状成形材料を下方に向かって成形品１個分押し込む押込シャフトを有する押し込み手段とを備え、前記加熱手段は前記射出筒内に供給されたスティック状成形材料を固化から完全溶解に連続的に変える温度勾配を発生させるものであり、前記押込シャフトにより最上段のスティック状成形材料が押し込まれると、中段のスティック状成形材料の半溶解による密栓効果を利用しながら、最下段の完全溶解した成形材料が前記キャビティに射出されると共に、前記ノズルからのノズルタッチを介して前記射出筒から前記金型に熱が伝達されることを特徴とする射出成形装置である。
【０００７】
請求項２の発明は、請求項１に記載した射出成形装置において、押込シャフトはセンタリング機構を備えることを特徴とする射出成形装置である。
【０００８】
請求項３の発明は、請求項２に記載した射出成形装置において、押込シャフトは上側シャフトと下側シャフトとからなり、前記下側シャフトは、前記上側シャフトに対してその下側円筒部に下側から基端部が入り込んで水平方向及び上下方向に相対移動自在に支持されると共に、前記上側シャフトの下端側で径方向に弾接されて嵌合状態が保持されていることを特徴とする射出成形装置である。
【０００９】
請求項４の発明は、請求項１から３のいずれかに記載した射出成形装置において、ガイドロッドの左右両側に設けられた一対の車輪と、下側型の取付盤に固定され、前記ガイドロッドの背面側に当接した背当てプレートと、左右平行に設けられた一対の傾斜路とその間に設けられた凹部とからなるガイド路を有し、前記ガイドロッドの上昇によりエジェクタピンが上昇するエジェクタ機構を備えており、前記ガイドロッドが前記背当てプレートにより背面側から押されると、前記車輪が前記傾斜路を転動しながら登っていくことで前記ガイドロッドが前記背当てプレートに対して上昇し、一方前記背当てプレート自身は前記凹部に入り込んでいくことを特徴とする射出成形装置である。
【００１０】
請求項５の発明は、請求項１から４のいずれかに記載した射出成形装置において、押込シャフトは押込レバーの手動操作により下降することを特徴とする射出成形装置である。
【００１１】
請求項６の発明は、請求項５に記載した射出成形装置において、湯溜まりが上側型のゲートの下方に設けられており、前記湯溜まりには上方に向かって付勢されたピストンが収納されていることを特徴とする射出成形装置である。
【００１２】
請求項７の発明は、請求項１から６のいずれかに記載した射出成形装置において、射出筒と金型はそれぞれ熱伝導性の異なる複数の材料で構成されており、ヒーターからの熱によりそれぞれ加熱され、押込シャフトの押し込みにより最下段にきたスティック状成形材料の完全溶解にかかる時間とキャビティに射出された成形材料の固化時間が略同じになるように調整されていることを特徴とする射出成形装置である。
【００１３】
請求項８の発明は、請求項１から７のいずれかに記載した射出成形装置の射出筒に供給するスティック状成形材料であって、ほぼ円柱状をしており、その外周面には軸線方向に延びる多数の凹溝が形成されていることを特徴とするスティック状成形材料である。
【００１４】
請求項９の発明は、請求項８に記載したスティック状成形材料において、成形品１個分の体積になっていることを特徴とするスティック状成形材料である。
【発明の効果】
【００１５】
本発明の射出成形装置によれば、小型化され且つ簡単な制御で所望の精度の成形品を製造できる。
【図面の簡単な説明】
【００１６】
【図１】本発明の実施の形態に係る射出成形装置の斜視図である。
【図２】図１の射出成形装置の一部分解斜視図である。
【図３】図１の射出成形装置の側板の内側部分の断面図である。
【図４】図１の射出成形装置の金型、特に上側型の駆動機構の説明図である。
【図５】図１の射出成形装置の金型、特に下側型の駆動機構の説明図である。
【図６】図１の射出成形装置のエジェクタ機構の斜視図である。
【図７】図６のエジェクタ機構の説明図である。
【図８】図１の射出成形装置の型開き及び下側型の引き出し動作の説明図である。
【図９】図１の押込シャフトの構造の説明図である。
【図１０】スティック状成形材料の斜視図である。
【図１１】図１０の成形材料が筒本体に差し入れた状態の断面図である。
【図１２】図１の射出成形装置１による成形品Ｍの形成過程の説明図である。
【図１３】図１２に続く説明図である。
【図１４】図１３に続く説明図である。
【図１５】図２とは別の構成の下側型の斜視図である。
【図１６】図３とは別の構成の金型の一部断面図である。
【発明を実施するための形態】
【００１７】
本発明の実施の形態に係る射出成形装置１を図面にしたがって説明する。
図１において符号３、３は一対の脚部を示し、この一対の脚部３、３上に載物台５が固定されている。載物台５上の左右両端側には一対の側板７、７が平行に立設されている。側板７、７は板面が左右方向を向いており、側板７の無い前後方向が開放されている。また、側板７、７の上端面には上板８が架設されている。
この載物台５と左右の側板７、７と上板８に囲まれた空間に金型９と射出筒６１が配設されており、金型９の上に射出筒６１が位置している。
【００１８】
先ず、金型９側について説明する。
最初に、金型９の構成について説明する。
図２に示すように、金型９として固定側の下側型１１と可動側の上側型１３とが備えられており、これらはそれぞれ下側型取付盤１５と上側型取付盤１７に取り付けられて両盤の間に配設されている。
型締めされると、下側型１１と上側型１３のそれぞれの凹部１９が密閉されて、図３に示すように、キャビティ２１が形成される。このキャビティ２１は成形品の形状に応じて型取られている。上側型１３にキャビティ２１と連通するゲート２３が設けられている。このゲート２３は上側型１３を上下方向に貫通して延びている。なお、図示省略するが、下側型１１の上面の四隅には位置決めピンがそれぞれ設けられている。
【００１９】
下側型１１の凹部１９の周囲と上側型１３のゲート２３の周囲は保熱性が良い、即ち熱伝導性が相対的に悪い鉄（Ｆｅ）で形成され、その余の部分は放熱性が良い、即ち熱伝導性が相対的に良いアルミ（Ａｌ）で形成されている。
また、下側型取付盤１５は鉄（Ｆｅ）で形成され、上側型取付盤１７はニ層構造になっており、大部分を占める厚い上層部は鉄（Ｆｅ）で構成され、薄い下層部は断熱性の良いエポキシガラス（Ｅｐ）で形成されている。
後述するようにゲート２３に先ず熱が伝達され、そこから周囲に熱が伝達されるが、ゲート２３と下側型１１の凹部１９の周囲は保熱性の良い鉄（Ｆｅ）で構成され、その余の部分は放熱性の良いアルミ（Ａｌ）で構成されているので、キャビティ２１内へは溶融した成形材料がゲート２３からキャビティ２１にスムーズ且つ十分に流れ込み、十分に流れ込んだ後には速やかに冷却するようになっている。
【００２０】
次に、金型９の駆動機構について説明する。
図３に示すように、上側型取付盤１７の左右両側からは支持シャフト２５、２５がそれぞれ突出しており、図１に示すように、各支持シャフト２５は各側板７の上下方向に延びる長穴２７を通って外方に出ている。
符号２９はハンドルを示し、このハンドル２９は全体として「コ」の字の棒状を為しており、その両端側でさらに折返し方向に僅かに屈曲されている。このハンドル２９は左右の側板７、７を前側から囲むように配置されており、その両端側の屈曲部に上記した支持シャフト２５が貫通し固定されている。
【００２１】
ハンドル２９の両端側にはピン連結によりガイドアーム３１、３１がそれぞれ回動自在に連結されている。各ガイドアーム３１には弓状に湾曲して後方に膨らんでおり、その下端は、載物台５の切欠き部を通って脚部３の切欠き部まで延び、そこでピン連結されてその切欠き部内で回動自在になっている。各ガイドアーム３１には前側に凹部３２が形成されており、その凹部３２に外方に突出した支持シャフト２５が前側から入り込んで係合している。
また、側板７と上側型取付盤１７との間には摺動案内機構（図示省略）が設けられており、上側型取付盤１７が側板７に対してスムーズに相対移動できるようになっている。
従って、図４に示すように、ハンドル２９を上方に持ち上げると、各ガイドアーム３１が後方に僅かに回動して各支持シャフト２５が係合状態から外れ、長穴２７内を上方に移動する。この移動により、支持シャフト２５に連結された上側型取付盤１７と共に上側型１３が上方に移動して型開きするようになっている。
【００２２】
次に、上側型取付盤１７と下側型取付盤１５との関係について説明する。
図５に示すように、上側型取付盤１７の左右両側には昇降シャフト３３がそれぞれ取り付けられている。一方、下側型取付盤１５の左右両側にはカム板３５がそれぞれ取り付けられている。カム板３５のカム溝３７は、前側は上下方向に延び、その上端からは後側に向かって斜め上向きに傾斜している。このカム溝３７に遊嵌されるカムフォロア３８が昇降シャフト３３の下端側に連結されている。
従って、上側側取付盤１７が上方に移動するときには、上記したカム機構により、下側型１１を搭載した下側型取付盤１５が前方に引き出されるようになっている。
なお、下側型取付盤１５の下面には一対のスライドレール３９、３９が取り付けられている。この一対のスライドレール３９、３９は、上記した載物台５上に取り付けられた一対のガイドレール４１、４１にそれぞれ係合して前後方向にスムーズに摺動案内されるようになっている。
【００２３】
下側型１１には成形品Ｍを突き上げるエジェクタ機構が設けられており、このエジェクタ機構には、下側型１１のキャビティ２１形成側とは反対の下面に平行におかれるエジェクタプレート４３と、このエジェクタプレート４３の下面に間隔を置いて立設された二本のガイドロッド４５と、上面に間隔をおいて立設されたエジェクタピン４７が備えられている。エジェクタピン４７は下側型１１を摺動自在に貫通しており、待機状態ではその先端はキャビティ２１形成用の凹部１９の面と同一面を形成し成形品の面を構成している。
ガイドロッド４５の下端部の左右両側には一対の車輪４９、４９が取り付けられている。また、ガイドロッド４５の背面側には背当てプレート５１の側部側の板厚面が当接されている。この背当てプレート５１はほぼ三角形状で下方に向かって先細りになっており、その上部側の板厚面が下側型取付盤１５の下面に固定されている。背当てプレート５１の先細りの下端は一対の車輪４９、４９の間に入り込んでいる。
【００２４】
符号５３はガイド路を示し、このガイド路５３は載物台５上に取り付けられている。２つのガイド路５３が一対のガイドレール４１、４１の間に位置している。
ガイド路５３は左右方向から見ると台形となっており、後側の上面５７は傾斜し、前側の上面５５は水平になっている。この上面が上記した一対の車輪４９、４９の転動面になっている。
ガイド路５３には上面から下面まで貫通する凹部５９が形成されている。この凹部５９は水平上面側の途中から延び後側の端まで続いている。凹部５９は、上記した背当てプレート５１が前方に引き出されたときに入り込む空間になっている。
【００２５】
従って、下側型取付盤１５が前方に引き出されると、ガイドロッド４５は下側型取付盤１５に固定された背当てプレート５１により背面側から押されて、車輪４９がガイド路５３の傾斜上面５７（傾斜路）を転動しながら登り、登りきると今度は水平上面５５を転動してさらに前方に進む。そのとき、背当てプレート５１自身は凹部５９に入り込んでいき、その前面が凹部５９の前面に当たるとそれ以上の前進は阻止される。
背当てプレート５１がガイドロッド４５の背面側をその全長にわたって押すので、前方への引き出し力がそのまま車輪４９の転動力になり、軽く引き出しても車輪４９はスムーズに傾斜上面５７上を登っていく。また、下側型取付盤１５には円筒状のフランジに代わって背当てプレート５１が設けられているので、フランジが無い分だけガイドロッド４５がさらに上昇できる。そのため、射出成形装置１の全体の高さを抑えることができる。さらに、車輪４９が前方に転動していくときには背当てプレート５１が凹部５９に入り込んでガイドされるのでガイドロッド４５が左右にぶれることもない。
【００２６】
上記の構成により、図８に示すように、ハンドル２９を上方に持ち上げると、上側型１３が上方に移動して型開きし、下側型１１は前方に引き出され、冷却固化された成形品Ｍがエジェクタピン４７に突き上げられて凹部１９から出されている。
【００２７】
次に、射出筒６１側について説明する。
図３に示すように、筒本体６３は上側型取付盤１７上に立設されている。この筒本体６３は二段構成になっており、上部側は鉄（Ｆｅ）より放熱性の良い銅（Ｃｕ）で形成され、下部側は鉄（Ｆｅ）で形成されている。そして、下部側の下半分には筒状のヒーター６５が外側から嵌合している。従って、筒本体６３は上部側の銅（Ｃｕ）部分の温度が最も低くなっており、そこに成形材料が差し込まれても溶解せず、下部側のうちヒーター６５で囲まれた部分は最も強く加熱されており、そこに降りてきた成形材料は完全に溶解するようになっている。
筒本体６３の下端側にはノズル６７が連結されており、鉄（Ｆｅ）で形成されている。このノズル６７のノズル孔６９の周囲の縁は平坦面７１になっている。図２に示すように、ノズル６７は上側型取付盤１７に形成された上下に貫通する貫通穴７３に入り込んでおり、ノズル孔６９の周囲の平坦面７１が上側型１３の上面に圧接されて、所謂ノズルタッチ仕様となっている。なお、図示省略するが、筒本体６３には材料攪拌体が入れられている。
【００２８】
ノズル孔６９はゲート２３に連通しており、完全に溶解した成形材料がノズル孔６９からゲート２３を通ってキャビティ２１に向かって射出される。
上側型取付盤１７の下層側は断熱性の良いエポキシガラス（Ｅｐ）で構成されているので、射出筒６１側と金型９側とはノズルタッチ部分でのみ熱移動可能になっている。なお、射出筒６１側から金型９側に移す熱量は、平坦面７１の面積を大きくすれば多くなり小さくすれば少なくなるので、面積を増減することにより移す熱量の量を増減できる。
【００２９】
次に押込み手段について説明する。
図１において、符号７５は押込シャフトを示し、この押込シャフト７５は一対の側板７、７の上端面上に架け渡された上板８の貫通穴を貫通している。押込シャフト７５の後面側にはラック（図示省略）が取り付けられている。
一方、符号７７は押込レバーを示し、この押込レバー７７は一対の側板７、７の間に水平に架け渡され、その右方側端部が右側の側板７を貫通して突出した支持シャフト（図示省略）に連結されている。この支持シャフトにはピニオン７９が取り付けられている。このピニオン７９は押込シャフト７５側、厳密には上側シャフト８０側のラックと噛合している。
【００３０】
上記の構成により、押込レバー７７のヘッド部を掴んで、図１において矢印に示すように反時計回り方向に倒すと、ラック／ピニオン機構により、押込シャフト７５が下降するようになっている。なお、押込レバー７７は時計回り方向へ回動する方向に付勢されており、押込レバー７７から手を放すと、押込レバー７７が起き上がると共に押込シャフト７５が上昇するようになっている。
【００３１】
次に、押込シャフト７５の構成について、図９（１）にしたがって説明する。
押込シャフト７５は大径の上側シャフト８０と小径の下側シャフト８３とからなる。
上側シャフト８０の下半部は円筒状になっており、その円筒内部には支持ピン８１が水平に架け渡されて固定されている。また、下端側にはリング状の弾性部材８２が固定されている。
下側シャフト８３には水平方向に貫通した貫通孔８４が形成されており、この貫通孔８４は上下方向に長く延びている。
下側シャフト８３の基端部は上記した上側シャフト８０の円筒内部に下側から入り込んで、その貫通孔８４に支持ピン８１が遊嵌されており、支持ピン８１に対して下側シャフト８３が上下方向及び水平方向に相対移動自在になっている。また、下側シャフト８３は弾性部材８２に嵌合しており径方向で弾接している。
【００３２】
上記の構成により、図９（２）に示すように、弾性部材８２を弾性的に変形させながら下側シャフト８３の上側シャフト８０に対する相対位置を変更できる。
したがって、押込シャフト７５の下側シャフト８３は筒本体６３の内壁に当たると逃げることで筒本体６３に対してセンタリングしていくことになり、押込シャフト７５や筒本体６３に少々の設計誤差があったり使用を重ねることで変形が多少生じても、押込シャフト７５の下側シャフト８３が筒本体６３の内壁を削ったりすることを防止できる。
【００３３】
次に、スティック状成形材料Ｓについて説明する。
図１０に示すように、スティック状成形材料Ｓはほぼ円柱状をしており、その外周面には軸線方向に延びる多数の凹溝ｔが形成されている。スティック状成形材料Ｓの直径と長さは射出圧力や作業性を考慮して設定されている。スティック状成形材料Ｓは最終的な成形品ではなく、形状が単純で寸法精度もさほど要求されていないので、安価に大量生産が可能となっている。
図１１に示すように、スティック状成形材料Ｓの直径は射出筒６１の筒本体６３内に僅かな隙間を残しながら差し込めるように設定されている。
【００３４】
上記で詳述した構造上の工夫と構造材料の適宜な組み合わせにより、１つのヒーター６５の出力で射出筒６１側と金型９側でそれぞれ必要な部位に適度な熱を与えられ、且つ、射出筒６１の最下段にきた成形材料が完全に溶解して湯状になるのに掛かる時間と、金型９内に射出された成形材料が冷却固化するのに掛かる時間とがほぼ同じになっている。
【００３５】
次に、射出成形装置１の手動作業と成形品Ｍの形成過程について、図１２〜１４にしたがって説明する。
図１２に示すように、作業者がスティック状成形材料Ｓ１を射出筒６１の筒本体６３に上側から手で差し込んで供給すると、一部が筒本体６３から上方にはみ出した状態となる。そのとき、既に入れられていた中段の成形材料Ｓ２は下側が溶解して半溶解の状態にあり、最下段の成形材料Ｓ３は完全に溶解して湯状になっている。
図１３に示すように、作業者が、押込レバー７７を操作して押込シャフト７５を下降させてその成形材料Ｓ１を押し込むと、中段の成形材料Ｓ２がピストンとなって完全溶解した湯状の成形材料Ｓ３を押して金型９内に射出させる。成形材料Ｓ２の下端側は溶解して筒本体６３やノズル６７内の隙間を埋めているので、密詮効果が高くなっている。なお、溶解した成形材料Ｓ１、Ｓ２からはエアが出てくるがこのエア（Ｋ）は成形材料Ｓ２、Ｓ３の凹溝ｔを通って速やかに上方に抜けていくので、成形品Ｍにおけるボイドの発生が有意的に低減される。
図１４に示すように、成形材料Ｓ３の射出が終了した時点で、成形材料Ｓ２が成形材料Ｓ３のあった場所まで移動しており、そこで加熱されて完全に溶解して湯状になっていく。
【００３６】
金型９への成形材料１個分の射出が終わった時点でブザー（図示省略）が鳴り、タイマー（図示省略）が時間を計測し始める。その間に、作業者は新たに成形材料を筒本体６３に差し込んでおく。所定の時間が経過すると再びブザーが鳴るので、作業者はそれを待ってハンドル２９を上方に持ち上げて、型開きし、突出した成形品Ｍを指で摘まんで取り出す。そして、ハンドル２９を元に戻した後に、再び押込シャフト７５を操作して上記の作業を繰り返す。このようにして、順次成形品Ｍを製造していく。
【００３７】
射出成形装置１によれば、射出筒６１側については、体積の決まった射出成形品であるスティック状成形材料Ｓを使用するので、可塑化や混練や更には計量も不要である。また、押込み手段の押込シャフト７５には耐熱性や寸法精度がさほど要求されない。さらに、ヒーター６５の温度制御のみで装置全体の温度制御を行うことができるようになっている。加えて、金型９側については、エジェクタ機構の工夫により、高さが抑えられている。
従って、装置の大幅な小型化と制御の簡略化に成功している。
【００３８】
以上、本発明の実施の形態について詳述してきたが、具体的構成は、この実施の形態に限られるものではなく、本発明の要旨を逸脱しない範囲における設計の変更などがあっても発明に含まれる。
上記実施の形態は、押込レバー７７による手動式にしたが、エアシリンダーを用いて自動式にしてもよい。
金型９は上記した材料の配置や種類に限定されることになく、例えば、図１５に示すように、金型９の下側型１１を凹部１９の周辺は鉄で構成し、その外周側をアルミで構成し、その外周側に孔９１を設け、その孔に銅を埋め込んだり、開孔させたままにすることにより、成形品の形状に応じて部位毎に熱特性を変えることで、一定の固化時間経過後には成形品全体が十分に固化されたものができる。
【００３９】
押込レバー７７の手動操作により押込シャフト７５を下降させる場合には、慣れない者の操作により押込み圧力が高くなりすぎると金型９が浮き上がり、成形品にバリが発生するが、図１６に示すように、ゲート９５の下方に湯溜まり９７を形成し、そこに付勢手段としてのスプリング９９が連結されたピストン１０１を上下方向に摺動自在に収納しておけば、過剰の圧力はそこで吸収されることになり、キャビティ１０３側への影響は無くなる。
また、押込シャフトによる押込み力をマイクロスイッチなどで計測して、その信号に基づいて高すぎる場合には赤色、黄色などのランプが点灯するようにして作業者に注意を促す構成にすることも考えらえる。
さらに、スティック状成形材料Ｓの体積を成形品Ｍの体積とほぼ同じに設定しているが、作業効率等を考慮してそれより大きくすることも可能である。
【産業上の利用可能性】
【００４０】
本発明は、成形材料を使用して射出成形により成形品を製造する製造業に利用可能である。
【符号の説明】
【００４１】
１…射出成形装置      ３…（一対の）脚部      ５…載物台
７…（一対の）側板      ８…上板      ９…金型      １１…下側型
１３…上側型      １５…下側型取付盤      １７…上側型取付盤
１９…（キャビティの）凹部      ２１…キャビティ      ２３…ゲート
２５…支持シャフト      ２７…長穴      ２９…ハンドル      
３１…ガイドアーム      ３２…（ガイドアームの）凹部      
３３…昇降シャフト      ３５…カム板      ３７…カム溝      
３８…カムフォロア      ３９…（一対の）スライドレール
４１…（一対の）ガイドレール      ４３…エジェクタプレート
４５…ガイドロッド      ４７…エジェクタピン      ４９…車輪
５１…背当てプレート      ５３…ガイド路      ５５…前側水平上面
５７…後側傾斜上面      ５９…凹部      ６１…射出筒      ６３…筒本体
６５…ヒーター      ６７…ノズル      ６９…ノズル孔      
７１…（ノズルの）平坦面      ７３…貫通穴      ７５…押込シャフト
７７…押込レバー      ７９…ピニオン      
８０…（押込シャフト）上側シャフト      ８１…支持ピン
８２…リング状の弾性部材      ８３…（押込シャフト）下側シャフト
８４…（下側シャフトの）貫通孔
９１…孔
９３…金型    ９５…ゲート      ９７…湯溜まり      ９９…スプリング      
１０１…ピストン      １０３…キャビティ
Ｓ…スティック状成形材料      ｔ…（成形材料の）凹溝
Ｍ…成形品      Ｋ…エア
【図１】
0005701535.tif 000002
【図２】
0005701535.tif 000003
【図３】
0005701535.tif 000004
【図４】
0005701535.tif 000005
【図５】
0005701535.tif 000006
【図６】
0005701535.tif 000007
【図７】
0005701535.tif 000008
【図８】
0005701535.tif 000009
【図９】
0005701535.tif 000010
【図１０】
0005701535.tif 000011
【図１１】
0005701535.tif 000012
【図１２】
0005701535.tif 000013
【図１３】
0005701535.tif 000014
【図１４】
0005701535.tif 000015
【図１５】
0005701535.tif 000016
【図１６】
0005701535.tif 000017